(57)【要約】      （修正有）【課題】使い勝手に優れ、投薬を簡便化することができる動物用投薬器を提供する。【解決手段】ポリエチレンなどの可撓性（弾性）を有する合成樹脂製のボトル１と、このボトル１に着脱自在かつ水密に装着されるプラスチック製の注出ノズル２と、この注出ノズル２の注出口２ａを閉蓋可能なスクリューキャップ３とから構成する。ボトル１は一端側が開口され液体状・粉状の薬剤あるいは飼料が収納可能にされた有底筒状の容器で、注出ノズル２と螺合可能な雄ネジ部とボトル１の下部側外周に渡って手掛かりとなる凹部１ａを窪ませてブロー成形して形成する。注出ノズル２は、先端の注出口２ａに向かって縮径する略錐形で、ボトル１のネジ部と螺合する雌ネジ部２ｂがその下端側内周面に形成され、外周側には、滑り止めの凸条２ｃをノズルの軸線と平行な方向に多数形成する。【選択図】図１
0003162690.tif 000002
【実用新案登録請求の範囲】
【請求項１】
一端側が開口され液体状・粉状の薬剤あるいは飼料が収納可能にされた有底の可撓性ボトルと、該可撓性ボトルと着脱自在かつ水密に装着される注出ノズルとからなることを特徴とする動物用投薬器。
【請求項２】
注出ノズルが注出口に向かって縮径する錐形状であることを特徴とする請求項１記載の動物用投薬器。
【請求項３】
注出ノズルの注出口にスクリューキャップを設けたことを特徴とする請求項１記載の動物用投薬器。
【請求項４】
可撓性ボトルの中心から外周縁側に偏位させて注出ノズルを設けたことを特徴とする請求項１記載の動物用投薬器。
【請求項５】
注出ノズルが柔軟性のあるホース状であることを特徴とする請求項４記載の動物用投薬器。
【考案の詳細な説明】
【技術分野】
【０００１】
本考案は、牛や豚、馬等の家畜あるいは猫、犬等の愛玩動物の飼育に際して好的に使用される動物用投薬器に関するものである。
【背景技術】
【０００２】
畜産農家では、牛や豚、馬等の家畜の健康保全のために、栄養剤や液体飼料等（以下、単に薬液という）を経口投与することがある。例えば、分娩時の母牛の健康維持には、イオン化カルシウム液等の投与が効果的であるが、投薬は使い切りの個別包装容器に収容された薬液を、その容器を開封して直接家畜の口中に差し入れ嚥下させる手法で行っている。しかしながら、まず、個別包装容器には使い勝手の悪さがある。すなわち、家畜個体ごとの投薬量の相違に対応し難いということであり、例えば、子牛は１本でも良いが、親牛には何本も飲ませる必要があり手数が掛かるという問題である。つまり、７５０ｍｌ投与する際、２５０ｍｌ入りの市販薬液であれば３本要するわけであるが、これを一気に投与できないといったことである。また、複数種類の薬剤を分けて保存し、使用直前にそれらを混合して用いる場合も同様の問題がある。また、個別包装容器を動物が噛み砕いてしまうという問題もあった。
【０００３】
そこで、例えば、従来、特許文献１では、可撓性のある容器本体と、端部外面に螺条を有する注出筒部とで構成された薬液を収納した状態で前記注出筒部の端面がフィルムによってシールされる容器と、内周に螺条を有すると共に、頭部内端面から内方に向けて突出する尖頭部を備えたキャップと、その頭部外方に連結されたチューブとで構成された注入ノズルとからなり、前記容器の注出筒部に前記注入ノズルを螺合装着することによって前記尖頭部が前記注出筒部端面のフィルムを突き破り薬液の注入を可能とし、キャップ本体のチューブとの連結部に逆流止めを設け、前記チューブには使用時のチューブ挿入量の目安となる目盛りを設けた浣腸等の薬液注入器が記載されている。また、耐熱性プラスチックで形成された貯水壜の口部に有底筒状の金属製キャップを螺嵌し、貯水壜の口部の先端面とキャップの底壁部内面との間に、耐熱性シールパッキングを介装し、キャップの底壁部中央に、金属製給水管の基端部を貫通固着した給水具が提案されている（特許文献２参照。）。また、特許文献３には、第１収容室と、第２収容室と、分離壁と、細管を具備し、第１収容室は、第１開口部を有し、第１薬剤を収納可能とされ、第２収容室は、第２開口部を有し、第２薬剤を収納可能であり、可撓性を有する動物用投薬器が記載されている。
【先行技術文献】
【特許文献】
【０００４】
【特許文献１】実開平３−１５５３０号公報
【特許文献２】特開２００７−２５９７８３号公報
【特許文献３】特開２０１０−６３７３７号公報
【考案の概要】
【考案が解決しようとする課題】
【０００５】
本考案もまた叙述のような従来技術と同様の課題に鑑み、使い勝手に優れ、投薬を簡便化することができる動物用投薬器を提供することを目的とする。
【課題を解決するための手段】
【０００６】
このため本考案の動物用投薬器は、一端側が開口され液体状・粉状の薬剤あるいは飼料が収納可能にされた有底の可撓性ボトルと、該可撓性ボトルと着脱自在かつ水密に装着される注出ノズルとからなることを第１の特徴とする。また、注出ノズルが注出口に向かって縮径する錐形状であることを第２の特徴とする。さらに、注出ノズルの注出口にスクリューキャップを設けたことを第３の特徴とする。さらにまた、可撓性ボトルの中心から外周縁側に偏位させて注出ノズルを設けたことを第４の特徴とする。加えて、注出ノズルが柔軟性のあるホース状であることを第５の特徴とする。
【考案の効果】
【０００７】
本考案の動物用投薬器は、プラスチックの射出成形等により安価に製造することができ、軽量である。とくに、家畜個体ごとの投薬量の相違に対応し易く、必要量を一気に投与することができる。また、複数種類の薬剤を分けて保存し、使用直前にそれらを攪拌混合して用いる場合も簡便化できる。さらに、ボトルとノズル部分を分離可能としたので、漏斗等を使用することなくボトル内に容易に薬剤を収容することができるばかりでなく、動物がノズル部分を噛み砕いても交換が可能である。
【考案を実施するための形態】
【０００８】
以下、本考案の実施の形態を図面に示す実施例を参照して説明する。
【図面の簡単な説明】
【０００９】
【図１】本考案に係る動物用投薬器の一実施例を示す斜視図である。
【図２】可撓性ボトルを示す（ａ）は平面図、（ｂ）は正面図である。
【図３】注出ノズルを示す（ａ）は正面図、（ｂ）は底面図である。
【図４】ノズルキャップの（ａ）は平面図、（ｂ）は（ａ）のＡ−Ａ線断面図である。
【図５】本考案に係る動物用投薬器の他の実施例を示す斜視図である。
【実施例】
【００１０】
図１乃至図４に示すように、本考案に係る動物用投薬器は、ポリエチレンなどの可撓性（弾性）を有する合成樹脂製のボトル１と、このボトル１に着脱自在かつ水密に装着されるプラスチック製の注出ノズル２と、この注出ノズル２の注出口２ａを閉蓋可能なスクリューキャップ３とから構成されている。ボトル１は一端側が開口され液体状・粉状の薬剤あるいは飼料が収納可能にされた有底筒状の容器で、注出ノズル２と螺合可能な雄ネジ部１ｂとボトル１の下部側外周に渡って手掛かりとなる凹部１ａを窪ませてブロー成形して形成する。目盛り１ｃは成形後薬剤を入れて実際計量して表面に描出する。尚、ボトル１は薬剤の残量や内部の汚れが視認できるように透可性が高いものが良い。また、スクリューキャップ３で閉蓋することで、容器全体を振とうしてボトル１内の薬剤を容易に攪拌混合することができる。
【００１１】
注出ノズル２は、先端の注出口２ａに向かって縮径する略錐形で、ボトル１のネジ部１ｂと螺合する雌ネジ部２ｂがその下端側内周面に形成され、外周側には、滑り止めの凸条２ｃがノズルの軸線と平行な方向に多数形成されている。尚、注出ノズル２はインジェクション成形されるが、嵌合後のボトル１の接合内周面は可能な限り段差が生じない構成とすることが肝要である。これにより収容された薬剤の残留を防止することができ、正確な量を投与することができ、かつ経済的である。
【００１２】
図５は、本考案の他の実施例を示すものであり、注出口４ａを可撓性ボトル１の中心から外周縁側に偏位させて短尺円筒状の注出ノズル４を設けたものである。これも家畜への薬剤投与に際して、収容された薬剤の液留り等を防止することと、投与者が容器を高く持ち上げる必要を無くして労力を軽減する作用を奏する。そして、さらに、この注出ノズル４に柔軟性のあるホース５を連結する。この構成はノズルを噛む習性のある子牛へのミルク投与等に使用して好適なものとなる。
【００１３】
尚、本考案の要旨は液体状・粉状の薬剤あるいは飼料が収納可能にされた有底の可撓性ボトルと、この可撓性ボトルと着脱自在かつ水密に装着される注出ノズルとから投薬器を構成したことにあり、例えば、ネジなどの着脱構造やノズル形状において本実施例に限定されないことは言うまでもない。
【符号の説明】
【００１４】
１  可撓性ボトル
１ａ凹部（手掛り）
１ｂ雄ネジ
１ｃ目盛り
２  注出ノズル
２ａ抽出口
２ｂ雄ネジ
２ｃ凸条
２ｄ雌ネジ
３  スクリューキャップ
３ａ雌ネジ
４  偏位ノズル
５  ホース
【図１】
0003162690.tif 000003
【図２】
0003162690.tif 000004
【図３】
0003162690.tif 000005
【図４】
0003162690.tif 000006
【図５】
0003162690.tif 000007